(57)【要約】【課題】模擬再現パターンが破壊することを防止することができるようにする。【解決手段】内部に硝子体に相当する液体が収納される模擬後眼部２２の外面、具体的には、眼底再現球面２３の外面に網膜再現パターン２１を形成する。よって、硝子体に相当する液体に網膜再現パターン２１が接触することはない。従って、模擬再現パターン２１が破壊することを防止することができる【選択図】図９
2019068930.tif 000002
【特許請求の範囲】
【請求項１】
眼球の網膜に対応する位置に位置する透明な部品と、
前記部品の外面に形成され、眼科機器の光学系の評価あるいは調整をするためのパターンと、
を備えた模擬眼。
【請求項２】
前記部品は、内部に硝子体に相当する液体を収容できるように中空に形成され、
前記液体の光学特性は、前記硝子体の光学特性に対応する、
請求項１記載の模擬眼。
【請求項３】
前記パターンは、前記網膜の光学的特性を再現した網膜再現パターンである、
請求項１又は請求項２に記載の模擬眼。
【請求項４】
前記網膜再現パターンは、前記網膜の血管、色度、病変、反射率の少なくとも１つを再現したパターンである、
請求項３に記載の模擬眼。
【請求項５】
前記網膜再現パターンは、前記網膜を構成する複数の層を再現した層再現パターンである、
請求項３に記載の模擬眼。
【請求項６】
前記パターンは、前記眼科機器の解像度、画角、及び光量の少なくとも１つを検査するため模様で構成されたパターンである、
請求項１又は請求項２に記載の模擬眼。
【請求項７】
前記眼球の角膜を模擬した部分を含む、請求項１〜請求項６の何れか１項に記載の模擬眼。
【請求項８】
前記角膜を模擬した部分と前記部品の間に、前記眼球の水晶体を模擬した部分をさらに含むことを特徴とする請求項７に記載の模擬眼。
【請求項９】
前記部品は模擬後眼部であり、
前記パターンは、前記模擬後眼部の前記外面に表面処理されたパターンであることを特徴とする請求項１〜請求項８の何れか１項に記載の模擬眼。
【請求項１０】
前記表面処理は、印刷処理であることを特徴とする請求項９に記載の模擬眼。
【請求項１１】
請求項１〜請求項１０の何れか１項に記載の模擬眼と、
前記模擬眼を収容する筐体と、
を備え、
前記模擬眼は、前記眼球の角膜を模擬した部分を含み、
前記模擬眼の前記角膜を模擬した部分が前記筐体の外部に露出している、
模擬眼装置。
【請求項１２】
前記角膜を模擬した部分と前記部品の間に、前記眼球の水晶体を模擬した部分をさらに含むことを特徴とする請求項１１に記載の模擬眼装置。
【請求項１３】
眼球の網膜に対応する位置に位置する透明な部品の外面に、眼科機器の光学系の評価あるいは調整をするためのパターンを形成することを含む模擬眼の製造方法。
【発明の詳細な説明】
【技術分野】
【０００１】
本発明は、模擬眼、模擬眼装置、及び模擬眼の製造方法に関する。
【背景技術】
【０００２】
従来、特許文献１に記載されている模擬眼は、開口を有し、内部に体液近似透明液体が収容可能なケーシングと、ケーシングの開口に嵌合する角膜模型レンズと、ケーシング内に眼内レンズを角膜模型レンズと光軸を略一致させるよう配設するための着脱部とが備えられている。
【先行技術文献】
【特許文献】
【０００３】
【特許文献１】特開２０１５−０１７９７３号公報
【発明の概要】
【０００４】
本開示の技術の第１の態様の模擬眼は、眼球の網膜に対応する位置に位置する透明な部品と、前記部品の外面に形成され、眼科機器の光学系の評価あるいは調整をするためのパターンと、を備えている。
【０００５】
本開示の技術の第２の態様の模擬眼装置は、第１の態様の模擬眼と、前記模擬眼を収容する筐体と、を備え、前記模擬眼は、前記眼球の角膜を模擬した部分を含み、前記模擬眼の前記角膜を模擬した部分が前記筐体の外部に露出している。
【０００６】
本開示の技術の第３の態様の模擬眼の製造方法は、眼球の網膜に対応する位置に位置する透明な部品の外面に、眼科機器の光学系の評価あるいは調整をするためのパターンを形成することを含む。
【図面の簡単な説明】
【０００７】
【図１】模擬眼装置１００と眼科機器の対物レンズ３００との位置関係を示す図である。
【図２】模擬眼装置１００の製造方法の１つの工程の１例を示す図である。
【図３】模擬眼装置１００の製造方法の１つの工程の１例を示す図である。
【図４】模擬眼装置１００の製造方法の１つの工程の１例を示す図である。
【図５】模擬眼装置１００の製造方法の１つの工程の１例を示す図である。
【図６】模擬眼装置１００の製造方法の１つの工程の１例を示す図である。
【図７】模擬眼装置１００の製造方法の１つの工程の１例を示す図である。
【図８】模擬眼装置１００の製造方法の１つの工程の１例を示す図である。
【図９】模擬眼装置１００の製造方法の１つの工程の１例を示す図である。
【図１０】模擬眼装置１００の製造方法の１つの工程の１例を示す図である。
【図１１】パターンの第１の変形例を示す図である。
【図１２】網膜の断層画像を示す図である。
【図１３】パターンの第２の変形例を示す図である。
【図１４】パターンの第３の変形例を示す図である。
【発明を実施するための形態】
【０００８】
以下、図面を参照して本開示の技術の実施の形態を詳細に説明する。
【０００９】
図１に示すように、模擬眼装置１００は、支持装置２００により支持され、眼科機器、例えば眼底カメラの対物レンズ３００の前方に配置される。模擬眼装置１００は、詳細には後述する模擬眼３０（図６参照）を備える。模擬眼３０は、網膜の光学的特性を再現した網膜再現パターン２１（図７参照）及び眼球の角膜を再現した角膜再現レンズ１４（図１参照）を備える。模擬眼装置１００では、角膜再現レンズ１４が模擬眼装置１００の外部に露出している。
ここで、眼科機器は、例えば、眼底カメラ、前眼部カメラ、ＳＬＯ（スキャニングレーザーオプサルモスコープ）、ＯＣＴ機能を有する機器、眼軸長測定器、眼屈折力測定器、など眼球を検査するための眼科機器を含む。
【００１０】
模擬眼装置１００は、本開示の技術の模擬眼装置の１例である。模擬眼３０は、本開示の技術の模擬眼の１例である。網膜再現パターン２１は、本開示の技術の網膜再現パターン及びパターンの１例である。
【００１１】
次に、図２〜図１０を参照して、模擬眼装置１００の製造方法を説明する。
【００１２】
図２に示すように、基板１２に、接着剤で角膜再現レンズ１４を接着する。図３に示すように、角膜再現レンズ１４が接着した基板１２に、光軸が角膜再現レンズ１４の光軸に一致するように、水晶体再現レンズ１６を、取付部材１８を介して接着剤で接着する。
なお、角膜再現レンズ１４は、本開示の技術の眼球の角膜を模擬した部分の１例であり、水晶体再現レンズ１６は、本開示の技術の眼球の水晶体を模擬した部分の１例である。
【００１３】
図４に示すように、水晶体再現レンズ１６が接着した基板１２にＯリング２０を取り付ける。図５に示すように、Ｏリング２０が取り付けられた基板１２に、模擬後眼部２２を複数のねじ２４で取り付ける。これにより、図６に示すように模擬眼３０が製造される。
【００１４】
模擬後眼部２２は、透明部材、例えば、樹脂やガラスで構成されている。模擬後眼部２２は、眼球の網膜に対応する位置に位置する。模擬後眼部２２は、内部に眼球内の硝子体に相当する液体を収容できるように中空に形成されている。液体の光学特性（例えば、屈折率）は、硝子体の光学特性（例えば、屈折率）と同じあるいは近似する特性を持つ。模擬後眼部２２は、内面が眼底を再現した形状の眼底再現球面２３を有する。眼底再現球面２３は、半球面である。なお、眼底再現球面２３は、模擬眼３０の中心を基準に視野角が２３０度の球面であってもよい。
【００１５】
模擬後眼部２２は、本開示の技術の部品の１例である。
【００１６】
模擬後眼部２２の外面には、眼科機器の光学系の評価あるいは調整するためパターン、具体的には、網膜の光学的特性を再現した網膜再現パターン２１（図７参照）が形成されている。網膜再現パターン２１は、網膜の血管、色度、病変を再現したパターンである。
なお、光学系の評価あるいは調整の具体例としては、光学系のアライメント調整、光学系の中の結像系のセンサ位置調整、照明系の評価、ＡＦ（オートフォーカス）の評価、等がある。
【００１７】
網膜再現パターン２１を、模擬後眼部２２の眼底再現球面２３に形成する方法は、例えば、塗装、印刷、表面処理等である。
具体的には、模擬後眼部２２の眼底再現球面２３に施す表面処理の一つとして、印刷（ここでは特にＵＶ（Ｕｌｔｒａ  Ｖｉｏｌｅｔ）印刷）が挙げられる。球面上に網膜再現パターン２１（例えばＳＬＯ（スキャニングオプサルモスコープ）撮影装置、眼底カメラなどで撮影された眼底画像）を印刷することで、血管や網膜の色度を合わせることや、眼の病変パターンを疑似的に与えることもできる。
【００１８】
網膜再現パターン２１は、本開示の技術のパターンの１例である。
【００１９】
図８に示すように、模擬眼３０を筐体４０に取り付ける。模擬眼３０は、筐体４０に取り外し可能に取り付けられている。
【００２０】
図９に示す、模擬眼３０及び模擬眼３０が取り付けられた筐体４０の断面に示すように、模擬眼３０には、硝子体に相当する液体を注入するための注入口５０と、空気を外部に逃がす空気口５１とが形成されている。注入口５０を介して、硝子体に相当する液体を注入すると、液体は、模擬眼３０の内部、具体的には、角膜再現レンズ１４と、模擬後眼部２２の眼底再現球面２３の内面との間に収納される。液体が模擬眼３０の内部の全部に行きわたり泡が空気口５１から出たところで、図１０に示すように、注入口５０と、空気口５１とにＯリング付きプラグ５２で封止する。
【００２１】
以上により模擬眼装置１００が完成する。
【００２２】
図１に示すように、模擬眼装置１００は、支持装置２００により支持され、眼底カメラの対物レンズ３００の前方に配置される。眼底カメラは、対物レンズ３００及び角膜再現レンズ１４を介して模擬眼３０の網膜再現パターン２１を撮影し、撮影して得られた画像に基づいて、眼底カメラの光学系の評価あるいは調整を行う。
【００２３】
上記のように、網膜再現パターン２１（図７参照）は、網膜の血管、色度、病変を再現したパターンである。よって、眼底カメラの光学系の評価／調整として、例えば、眼底カメラの光源及び光学系の少なくとも一方に基づくフレアや、オートフォーカス（ＡＦ）機能を評価することができる。そして、評価結果に基づいて、眼底カメラの光源、光学系、オートフォーカス機能を調整する。
【００２４】
また、内部に硝子体に相当する液体が収納される模擬後眼部２２の外面、具体的には、眼底再現球面２３の外面に網膜再現パターン２１が形成されている。よって、硝子体に相当する液体に網膜再現パターン２１が接触することはない。
【００２５】
従来、模擬眼は、後眼部部材の内面に模擬網膜が作成されている。よって、後眼部部材の内面に作成された模擬網膜と、後眼部部材の内部に封入された液体とが接触する。最悪の場合、模擬網膜が破壊され、硝子体に相当する液体に、模擬網膜の破片が散乱してしまう可能性もある。
【００２６】
しかし、本実施の形態では、上記のように硝子体に相当する液体に網膜再現パターン２１が接触することはないので、模擬再現パターンが破壊することを防止することができる。
【００２７】
次に、パターンの変形例を説明する。上記実施の形態のパターンは、網膜の光学的特性、例えば、網膜の血管、色度、病変を再現した網膜再現パターン２１である。本開示の技術のパターンは、網膜再現パターン２１に限定されない。
【００２８】
（第１の変形例）
第１の変形例では、図１１に示すように、網膜の反射率を再現したパターン６１である。パターン６１は、反射率が、例えば、４パーセントの第１の領域６３と、第１の領域６３の中の、反射率が３５パーセントの第２の領域６５とを有する。第２の領域は、視神経乳頭の反射率を再現している。なお、パターン６１は、模擬眼３０の眼球中心を基準に最大画角が４５度の中心領域６７と、中心領域６７の周囲の最大画角が９０度の周辺領域とを有する。なお、周辺領域の最大画角は、９０度に限定されず、９０度よりも大きい、例えば、１１５度であってもよい。
【００２９】
パターン６１を、模擬後眼部２２の眼底再現球面２３に形成する方法は、例えば、塗装、印刷、表面処理等である。
【００３０】
第１の変形例でも、眼科撮影機器の性能として、例えば、眼科撮影機器の光源及び光学系の少なくとも一方に基づくフレアや、オートフォーカス機能を評価することができる。評価結果に基づいて、眼科撮影機器の光源、光学系、オートフォーカス機能を調整することができる。
【００３１】
（第２の変形例）
上記実施の形態の網膜再現パターン２１は、眼底の表面、即ち、網膜の表面を再現している。第２の変形例は、網膜の内部を再現している。図１２には、光干渉断層画像（Ｏｐｔｉｃａｌ  Ｃｏｈｅｒｅｎｃｅ  Ｔｏｍｏｇｒａｐｈｙ（ＯＣＴ））が示されている。第２の変形例の検査用のパターン７３は、図１３に示すように、網膜を構成する複数の層を再現した層再現パターンである。
【００３２】
第２の変形例では、眼科装置としてＯＣＴ機能を有する眼科機器を評価することができる。
【００３３】
（第３の変形例）
第３の変形例の検査用のパターンは、図１４に示すように、眼科機器の解像度、画角、及び光量の少なくとも１つを検査するため模様で構成されたパターン８１である。模様は、具体的には、模擬眼３０の眼球中心を基準に、１０度間隔で、同心円の縞が形成されている。
【００３４】
パターン８１を、模擬後眼部２２の眼底再現球面２３に形成する方法は、例えば、縞を塗装したり、溝を機械加工したりする等である。
【００３５】
第３の変形例では、眼科装置の眼底撮影の画角を実測することができる。
【００３６】
更には、次のパターンとしてもよい。
例えば、解像度パターンである。具体的には、眼科撮影機器の解像度を計測するための模様のパターンである。
【００３７】
ブラックｅｙｅパターンである。具体的には、眼底再現球面２３の外面を黒色で一色に塗布したパターンである。このブラックｅｙｅパターンを用いて、角膜の前眼部のみの反射を再現するこができる。眼科機器の光学系に黒点板という戻り光のフレアを消す部品がある場合に、ブラックｅｙｅパターンを用いて黒点板の設置位置、設置角度、大きさなどの調整を行うことができる。
【００３８】
実施の形態、第１の変形例、第３の変形例における眼科機器は、眼底を撮影する機能を有する、眼底カメラやＳＬＯ（スキャニングオプサルモスコープ）機器が該当する。第２の変形例の眼科撮影機器は、ＯＣＴ機能を有する機器である。
【００３９】
実施の形態及び第１〜第３の変形例では、模擬後眼部２２は、内部に硝子体に相当する液体を収容できるように中空に形成されている。本開示の技術では、模擬後眼部２２を中空にすることに限定されず、模擬後眼部２２の全体を硝子体の屈折率の部品で構成するようにしてもよい。
【００４０】
実施の形態及び第１〜第３の変形例では、眼底再現球面２３の外面に検査用のパターン（２１、６１、７３、８１）に塗装、印刷等で取外し不可能に形成している。本開示の技術では、眼底再現球面２３の外面にパターン（２１、６１、７３、８１）を、取外し可能な程度の接着力の接着剤で取外し可能に付してもよい。模擬眼３０を筐体４０から取外し、模擬眼３０の眼底再現球面２３の外面に付しているパターンを、別のパターンに代えて、模擬眼３０を筐体４０に再度取り付ける。パターンを変えるだけで、同じ模擬眼３０及び筐体４０を用いて、複数の異なる検査をすることができる。なお、接着剤の光学特性による評価結果への影響を、評価時に評価結果から相殺する。
さらに別の形態として、異なるパターンが塗装、印刷等でなされた眼底再現球面２３を複数用意しておき、評価／調整に適切な眼底再現球面２３を選択し模擬眼３０とし筐体４０に取り付けるようにしても良い。
【符号の説明】
【００４１】
１２    基板
１４    角膜再現レンズ
１６    水晶体再現レンズ
１８    取付部材
２０    リング
２１    網膜再現パターン
２２    模擬後眼部
２３    眼底再現球面
３０    模擬眼
４０    筐体
５０    注入口
５１    空気口
５２    プラグ
６１    パターン
６３    領域
６５    領域
６７    中心領域
７３    パターン
８１    パターン
１００    模擬眼装置
２００    支持装置
３００    対物レンズ
【図１】
2019068930.tif 000003
【図２】
2019068930.tif 000004
【図３】
2019068930.tif 000005
【図４】
2019068930.tif 000006
【図５】
2019068930.tif 000007
【図６】
2019068930.tif 000008
【図７】
2019068930.tif 000009
【図８】
2019068930.tif 000010
【図９】
2019068930.tif 000011
【図１０】
2019068930.tif 000012
【図１１】
2019068930.tif 000013
【図１２】
2019068930.tif 000014
【図１３】
2019068930.tif 000015
【図１４】
2019068930.tif 000016